(57)【特許請求の範囲】
【請求項１】
送信側装置から受信側装置に伝送される光伝送信号速度に比して高速かつ大容量のトリビュタリ信号を複数の波長の前記光伝送信号に分割して伝送するインバース波長多重光伝送システムにおいて、
前記送信側装置は、
トリビュタリ信号を多重分離する多重分離回路と、
前記多重分離回路によって多重分離された複数の各多重分離信号に対する複数の伝送フレームを組み立てる複数の伝送フレーム生成回路と、
前記複数の伝送フレームをそれぞれ波長の異なる光信号に変換する電気光変換回路と、
を備え、
前記受信側装置は、
前記光伝送路を介して入力された前記波長の異なる光信号を各波長に対応する複数の電気信号に変換する複数の光電気変換回路と、
各光電気変換回路によって変換された各電気信号に対応する各伝送フレームの受信処理を行い、各伝送フレーム間の遅延差を補正した多重分離信号をそれぞれ出力する複数の伝送フレーム終端回路と、
前記複数の伝送フレーム終端回路から出力された複数の多重分離信号を多重化して前記トリビュタリ信号を出力する多重化回路と、
を備え、前記伝送フレーム生成回路は、波長間の伝送遅延差を吸収する遅延吸収メモリを備え、該遅延吸収メモリによって前記各伝送フレーム間の遅延差を予め補正することを特徴とするインバース波長多重光伝送システム。
【請求項２】
前記伝送フレーム終端回路は、波長間の伝送遅延差を吸収する遅延吸収メモリを備え、該遅延吸収メモリによって前記各伝送フレーム間の遅延差を補正することを特徴とする請求項１に記載のインバース波長多重光伝送システム。
【請求項３】
前記受信側装置は、前記複数の伝送フレームを伝送する波長の異なる光信号を光波長分離する光波長分波装置をさらに備え、
前記光波長分波装置は、前記波長の異なる光信号間の遅延を補償する光ファイバを有することを特徴とする請求項１または２に記載のインバース波長多重光伝送システム。
【請求項４】
送信側装置から受信側装置に伝送される光伝送信号速度に比して高速かつ大容量のトリビュタリ信号を複数の波長の前記光伝送信号に分割して伝送するインバース波長多重光伝送システムにおいて、
前記送信側装置は、
トリビュタリ信号を多重分離する多重分離回路と、
前記多重分離回路によって多重分離された複数の各多重分離信号に対する複数の伝送フレームを組み立てる複数の伝送フレーム生成回路と、
前記複数の伝送フレームをそれぞれ波長の異なる光信号に変換する電気光変換回路と、
を備え、
前記受信側装置は、
前記光伝送路を介して入力された前記波長の異なる光信号を各波長に対応する複数の電気信号に変換する複数の光電気変換回路と、
各光電気変換回路によって変換された各電気信号に対応する各伝送フレームの受信処理を行い、各伝送フレーム間の遅延差を補正した多重分離信号をそれぞれ出力する複数の伝送フレーム終端回路と、
前記複数の伝送フレーム終端回路から出力された複数の多重分離信号を多重化して前記トリビュタリ信号を出力する多重化回路と、
を備え、
前記伝送フレーム終端回路は、波長間の伝送遅延差を吸収する第１の遅延吸収メモリを備え、
前記伝送フレーム生成回路は、波長間の伝送遅延差を吸収する第２の遅延吸収メモリを備え、
前記受信側装置における各波長間の遅延差を検出する検出手段と、
前記検出手段の検出結果をもとに前記第１の遅延吸収メモリが各波長間の遅延差を吸収できるか否かを判断する判断手段と、
前記判断手段が各波長間の遅延差を吸収できないと判断した場合、前記第２の遅延吸収メモリによる各波長間の遅延量を調整する制御を行う調整制御手段と、
を備えたことを特徴とするインバース波長多重光伝送システム。
【請求項５】
送信側装置から受信側装置に伝送される光伝送信号速度に比して高速かつ大容量のトリビュタリ信号を複数の波長の前記光伝送信号に分割して伝送するインバース波長多重光伝送システムにおいて、
前記送信側装置は、
トリビュタリ信号を多重分離する多重分離回路と、
前記多重分離回路によって多重分離された複数の各多重分離信号に対する複数の伝送フレームを組み立てる複数の伝送フレーム生成回路と、
前記複数の伝送フレームをそれぞれ波長の異なる光信号に変換する電気光変換回路と、
を備え、
前記受信側装置は、
前記光伝送路を介して入力された前記波長の異なる光信号を各波長に対応する複数の電気信号に変換する複数の光電気変換回路と、
各光電気変換回路によって変換された各電気信号に対応する各伝送フレームの受信処理を行い、各伝送フレーム間の遅延差を補正した多重分離信号をそれぞれ出力する複数の伝送フレーム終端回路と、
前記複数の伝送フレーム終端回路から出力された複数の多重分離信号を多重化して前記トリビュタリ信号を出力する多重化回路と、
を備え、
前記伝送フレーム生成回路は、波長間の伝送遅延差を吸収する遅延吸収メモリを備え、
前記受信側装置における各波長間の遅延差を検出する検出手段と、
前記検出手段が検出した遅延差をもとに前記遅延吸収メモリによる各波長の遅延量を調整して該遅延差を補正する制御を行う調整制御手段と、
を備えたことを特徴とするインバース波長多重光伝送システム。
【請求項６】
前記送信側装置は、入力された複数のトリビュタリ信号の各トリビュタリ信号に対応して生成された各伝送フレーム群を、隣接波長群内の波長に割り当てて伝送することを特徴とする請求項１〜５のいずれか一つに記載のインバース波長多重光伝送システム。
【発明の詳細な説明】
【０００１】
【発明の属する技術分野】
この発明は、光伝送信号速度に比して高速かつ大容量のトリビュタリ信号を複数の波長の前記光伝送信号に分割して伝送するインバース波長多重光伝送システムに関するものである。
【０００２】
【従来の技術】
従来から、複数の波長の異なる光信号を波長多重して１本の光ファイバによって大容量伝送を行う波長多重光伝送システムが知られている。図１３は、この従来の波長多重光伝送システムの構成を示す図である。
【０００３】
図１３において、光送信装置１０１に入力されたトリビュタリ光入力信号Ｓ１〜Ｓｎは、それぞれ異なる波長λ１〜λｎの光信号に変換される。光送信装置１０１から出力された光信号は、光波長合波装置１０２において波長多重され、光伝送路１０３に波長多重光信号として出力される。波長多重光信号は、複数の光ファイバ増幅中継器１０４によって多段中継されて長距離伝送される。光波長分波装置１０５は、この長距離伝送された波長多重光信号を波長毎に多重分離し、異なる波長λ１〜λｎの光信号として光受信装置１０６に出力する。光受信装置１０６は、各波長λ１〜λｎの光信号に対する受信処理を施し、トリビュタリ光出力信号Ｓ１〜Ｓｎを出力する。
【０００４】
【発明が解決しようとする課題】
ところで、上述した従来の波長多重光伝送システムでは、たとえばトリビュタリ信号Ｓ１〜Ｓｎの伝送速度が２．５Ｇｂｉｔ／ｓの場合には、２．５Ｇｂｉｔ／ｓの光信号を波長多重伝送することによって大容量の長距離伝送を実現することができる。
【０００５】
しかしながら、たとえば、トリビュタリ信号の伝送速度が１０Ｇｂｉｔ／ｓになると、伝送速度が光信号の４倍になるため、伝送速度が２．５Ｇｂｉｔ／ｓのときに比べて伝送可能な距離が短くなるという問題点があった。
【０００６】
この発明は上記に鑑みてなされたもので、トリビュタリ信号の速度が高くなっても長距離伝送が可能なインバース波長多重化光伝送システムを得ることを目的とする。
【０００７】
【課題を解決するための手段】
上記目的を達成するため、この発明にかかるインバース波長多重光伝送システムは、送信側装置から受信側装置に伝送される光伝送信号速度に比して高速かつ大容量のトリビュタリ信号を複数の波長の前記光伝送信号に分割して伝送するインバース波長多重光伝送システムにおいて、前記送信側装置は、トリビュタリ信号を多重分離する多重分離回路と、前記多重分離回路によって多重分離された複数の各多重分離信号に対する複数の伝送フレームを組み立てる複数の伝送フレーム生成回路と、前記複数の伝送フレームをそれぞれ波長の異なる光信号に変換する電気光変換回路とを備え、前記受信側装置は、前記光伝送路を介して入力された前記波長の異なる光信号を各波長に対応する複数の電気信号に変換する複数の光電気変換回路と、各光電気変換回路によって変換された各電気信号に対応する各伝送フレームの受信処理を行い、各伝送フレーム間の遅延差を補正した多重分離信号をそれぞれ出力する複数の伝送フレーム終端回路と、前記複数の伝送フレーム終端回路から出力された複数の多重分離信号を多重化して前記トリビュタリ信号を出力する多重化回路とを備え、前記伝送フレーム生成回路は、波長間の伝送遅延差を吸収する遅延吸収メモリを備え、該遅延吸収メモリによって前記各伝送フレーム間の遅延差を予め補正することを特徴とする。
【０００８】
この発明によれば、送信側装置において、多重分離回路が、トリビュタリ信号を多重分離し、伝送フレーム生成回路が、前記多重分離回路によって多重分離された複数の各多重分離信号に対する複数の伝送フレームを組み立て、電気光変換回路が、前記複数の伝送フレームをそれぞれ波長の異なる光信号に変換し、この光信号が合波されて光伝送路上に出力され、受信側装置において、光電気変換回路が、光伝送路を介して入力された前記波長の異なる光信号を各波長に対応する複数の電気信号に変換し、伝送フレーム終端回路が、各光電気変換回路によって変換された各電気信号に対応する各伝送フレームの受信処理を行い、各伝送フレーム間の遅延差を補正した多重分離信号をそれぞれ出力し、多重化回路が、複数の伝送フレーム終端回路から出力された複数の多重分離信号を多重化して前記トリビュタリ信号を出力し、前記伝送フレーム生成回路は、波長間の伝送遅延差を吸収する遅延吸収メモリを備え、該遅延吸収メモリによって前記各伝送フレーム間の遅延差を予め補正し、大きな遅延差を吸収できるようにしている。
【０００９】
つぎの発明にかかるインバース波長多重光伝送システムは、上記の発明において、前記伝送フレーム終端回路は、波長間の伝送遅延差を吸収する遅延吸収メモリを備え、該遅延吸収メモリによって前記各伝送フレーム間の遅延差を補正することを特徴とする。
【００１０】
この発明によれば、前記伝送フレーム終端回路が、波長間の伝送遅延差を吸収する遅延吸収メモリを有し、この遅延吸収メモリによって前記各伝送フレーム間の遅延差を補正するようにしている。
【００１１】
つぎの発明にかかるインバース波長多重光伝送システムは、上記の発明において、前記受信側装置は、前記複数の伝送フレームを伝送する波長の異なる光信号を光波長分離する光波長分波装置をさらに備え、前記光波長分波装置は、前記波長の異なる光信号間の遅延を補償する光ファイバを有することを特徴とする。
【００１２】
この発明によれば、前記受信側装置の光波長分波装置内の光ファイバが、波長の異なる光信号間の遅延を補償するようにしている。
【００１５】
つぎの発明にかかるインバース波長多重光伝送システムは、送信側装置から受信側装置に伝送される光伝送信号速度に比して高速かつ大容量のトリビュタリ信号を複数の波長の前記光伝送信号に分割して伝送するインバース波長多重光伝送システムにおいて、前記送信側装置は、トリビュタリ信号を多重分離する多重分離回路と、前記多重分離回路によって多重分離された複数の各多重分離信号に対する複数の伝送フレームを組み立てる複数の伝送フレーム生成回路と、前記複数の伝送フレームをそれぞれ波長の異なる光信号に変換する電気光変換回路とを備え、前記受信側装置は、前記光伝送路を介して入力された前記波長の異なる光信号を各波長に対応する複数の電気信号に変換する複数の光電気変換回路と、各光電気変換回路によって変換された各電気信号に対応する各伝送フレームの受信処理を行い、各伝送フレーム間の遅延差を補正した多重分離信号をそれぞれ出力する複数の伝送フレーム終端回路と、前記複数の伝送フレーム終端回路から出力された複数の多重分離信号を多重化して前記トリビュタリ信号を出力する多重化回路とを備え、前記伝送フレーム終端回路は、波長間の伝送遅延差を吸収する第１の遅延吸収メモリを備え、前記伝送フレーム生成回路は、波長間の伝送遅延差を吸収する第２の遅延吸収メモリを備え、前記受信側装置における各波長間の遅延差を検出する検出手段と、前記検出手段の検出結果をもとに前記第１の遅延吸収メモリが各波長間の遅延差を吸収できるか否かを判断する判断手段と、前記判断手段が各波長間の遅延差を吸収できないと判断した場合、前記第２の遅延吸収メモリによる各波長間の遅延量を調整する制御を行う調整制御手段とを備えたことを特徴とする。
【００１６】
この発明によれば、検出手段が、前記受信側装置における各波長間の遅延差を検出し、判断手段が、前記検出手段の検出結果をもとに前記第１の遅延吸収メモリが各波長間の遅延差を吸収できるか否かを判断し、調整制御手段が、前記判断手段が各波長間の遅延差を吸収できないと判断した場合、前記第２の遅延吸収メモリによる各波長間の遅延量を調整する制御を行うようにしている。
【００１７】
つぎの発明にかかるインバース波長多重光伝送システムは、送信側装置から受信側装置に伝送される光伝送信号速度に比して高速かつ大容量のトリビュタリ信号を複数の波長の前記光伝送信号に分割して伝送するインバース波長多重光伝送システムにおいて、前記送信側装置は、トリビュタリ信号を多重分離する多重分離回路と、前記多重分離回路によって多重分離された複数の各多重分離信号に対する複数の伝送フレームを組み立てる複数の伝送フレーム生成回路と、前記複数の伝送フレームをそれぞれ波長の異なる光信号に変換する電気光変換回路と、を備え、前記受信側装置は、前記光伝送路を介して入力された前記波長の異なる光信号を各波長に対応する複数の電気信号に変換する複数の光電気変換回路と、各光電気変換回路によって変換された各電気信号に対応する各伝送フレームの受信処理を行い、各伝送フレーム間の遅延差を補正した多重分離信号をそれぞれ出力する複数の伝送フレーム終端回路と、前記複数の伝送フレーム終端回路から出力された複数の多重分離信号を多重化して前記トリビュタリ信号を出力する多重化回路とを備え、前記伝送フレーム生成回路は、波長間の伝送遅延差を吸収する遅延吸収メモリを備え、前記受信側装置における各波長間の遅延差を検出する検出手段と、前記検出手段が検出した遅延差をもとに前記遅延吸収メモリによる各波長の遅延量を調整して該遅延差を補正する制御を行う調整制御手段とを備えたことを特徴とする。
【００１８】
この発明によれば、検出手段が、前記受信側装置における各波長間の遅延差を検出し、調整制御手段が、前記検出手段が検出した遅延差をもとに前記遅延吸収メモリによる各波長の遅延量を調整して該遅延差を補正する制御を行うようにしている。
【００２１】
つぎの発明にかかるインバース波長多重光伝送システムは、上記の発明において、前記送信側装置は、入力された複数のトリビュタリ信号の各トリビュタリ信号に対応して生成された各伝送フレーム群を、隣接波長群内の波長に割り当てて伝送することを特徴とする。
【００２２】
この発明によれば、送信側装置が、入力された複数のトリビュタリ信号の各トリビュタリ信号に対応して生成された各伝送フレーム群を、隣接波長群内の波長に割り当てて伝送し、分散補償による遅延差が小さくなるようにしている。
【００２３】
【発明の実施の形態】
以下、添付図面を参照して、この発明にかかるインバース波長多重光伝送システムの好適な実施の形態について説明する。
【００２４】
実施の形態１．
まず、この発明の実施の形態１について説明する。図１は、この発明の実施の形態１であるインバース波長多重光伝送システムの概要構成を示す図である。図１において、光送信装置１に入力されたトリビュタリ光入力信号Ｓ１〜Ｓｍは、それぞれ異なる波長λ１〜λｎの光信号に変換される。この光信号は、光波長合波装置２によって波長多重され、波長多重光信号として光伝送路３に出力される。光ファイバ増幅中継器４は、この波長多重光信号を多段中継して長距離伝送する。光波長分波装置５は、長距離伝送された波長多重光信号を波長毎に多重分離し、光受信装置６に出力する。光受信装置６は、各波長に対して受信処理を施してトリビュタリ光出力信号Ｓ１〜Ｓｍを出力する。
【００２５】
図２は、図１に示した光送信装置１の構成を示すブロック図である。なお、図２に示した光送信装置１では、トリビュタリ光入力信号数ｍを「１」とし、波長多重数ｎを「４」とした場合の構成を示している。図２において、光電気変換回路１１は、入力されたトリビュタリ光入力信号Ｓ１を電気信号に変換し、多重分離回路１２に出力する。多重分離回路１２は、この電気信号に変換された信号を、４つの信号に分離し、それぞれ第１〜第４のフレーム生成回路１３〜１６に出力する。第１〜第４のフレーム生成回路１３〜１６は、それぞれ後述する伝送フレームを組み立て、電気光変換回路１７〜２０に出力する。電気光変換回路１７〜２０は、第１〜第４のフレーム生成回路１３〜１６にそれぞれ接続され、第１〜第４のフレーム生成回路１３〜１６から入力された伝送フレームを、それぞれ波長λ１〜λ４の光信号に変換し、光波長合波装置２に出力する。
【００２６】
図３は、第１〜第４のフレーム生成回路１３〜１６の構成を示すブロック図である。図３において、多重分離回路１２から出力された１つの多重分離信号は、速度変換回路３１に入力され、速度変換回路３１は、この多重分離信号を速度変換するとともに、オーバヘッド情報および誤り訂正符号の各冗長領域を付加し、オーバヘッド情報生成回路３２に出力する。オーバヘッド情報生成回路３２は、速度変換回路３１から出力された信号のオーバヘッド情報領域にオーバヘッド情報を格納し、誤り訂正符号化回路３３に出力する。誤り訂正符号化回路３３は、オーバヘッド情報生成回路３２から出力された信号の誤り訂正符号化を行い、この誤り訂正符号化した結果の冗長情報を、誤り訂正符号領域に格納し、伝送フレームとして、それぞれ対応する電気光変換回路１７〜２０に出力する。
【００２７】
図４は、図３に示した第１〜第４のフレーム生成回路１３〜１６が処理するＦＥＣフレームの一例を示す図である。このＦＥＣフレームは、たとえば、ＩＴＵ−Ｔ  Ｇ．９７５勧告に示されたものである。速度変換回路３１では、図４（Ａ）に示すように、ＯＨ（オーバヘッド）領域Ｅ１およびＲＳ（２５５，２３９）冗長領域Ｅ２が付加される。オーバヘッド情報生成回路３２および誤り訂正符号化回路３３のそれぞれは、図４（Ｂ）に示すように、それぞれ対応するＯＨ領域Ｅ１およびＲＳ（２５５，２３９）冗長領域に、オーバヘッド情報「０Ｈ１」〜「ＯＨ１６」および誤り訂正符号の冗長情報「Ｒ０−０」〜「Ｒ１５−１５」を格納する。ここで、４つに多重分離された多重分離信号は、フレームの「０−１」から順番に第１〜第４のフレーム生成回路１３〜１６によってフレーム化される。また、誤り訂正符号としては、リードソロモン符号ＲＳ（２５５，２３９）符号が用いられ、誤り訂正符号化回路３３は、各８サブフレーム毎に、オーバヘッド情報および多重分離信号の情報に対する誤り訂正符号化を施し、この結果であるＲＳ（２５５，２３９）符号「０」（「Ｒ０−０」〜「Ｒ０−１５」）〜「８」（「Ｒ１５−０」〜「Ｒ１５−１５」）を生成し、格納する。なお、誤り訂正符号化を行うことによって、光伝送後の品質を向上することができるので、一層、長距離の伝送が可能な波長多重光伝送システムを構築できる。
【００２８】
一方、図５は、図１に示した光受信装置６の構成を示すブロック図である。図５において、光電気変換回路２１〜２４は、光波長分波装置５から入力された波長λ１〜λ４の光信号を電気信号に変換する。第１〜第４のフレーム終端回路２５〜２８は、それぞれ光電気変換回路２１〜２４に接続され、それぞれ入力された光信号から、誤り訂正復号化処理およびオーバヘッド情報を分離処理などの伝送フレーム処理を行い、多重化回路２９に出力する。多重化回路２９は、第１〜第４のフレーム終端回路２５〜２８から入力された信号を多重化し、１つのトリビュタリ信号を復元し、電気光変換回路３０は、この１つのトリビュタリ信号を光信号に変換し、トリビュタリ信号Ｓ１として出力する。
【００２９】
図６は、第１〜第４のフレーム終端回路２５〜２８の構成の一例を示すブロック図である。図６において、フレーム同期回路４１は、図４に示した伝送フレームのオーバヘッド情報として格納された図示しないフレーム同期パターンを検出し、伝送フレームの先頭位置を検出する。誤り訂正復号化回路４２は、フレーム同期回路４１が検出した伝送フレームの先頭位置をもとに、伝送フレームの誤り訂正復号化を行い、光伝送路３において生じたビット誤りを訂正する。オーバヘッド情報終端回路４３は、オーバヘッド情報をもとに、光伝送路の保守・運用に必要な処理を行う。遅延補償メモリ４４は、オーバヘッド情報終端回路４３から出力されたフレーム信号に対して、光伝送路３の遅延を吸収し、速度変換回路４５に出力する。速度変換回路４５は、遅延が付加されたフレームから、オーバヘッド情報領域Ｅ１および誤り訂正符号の冗長領域Ｅ２を削除した多重分離信号として多重化回路２９に出力する。
【００３０】
このように、第１〜第４のフレーム終端回路２５〜２８は、遅延補償メモリ４４を有し、波長λ１〜λ４によって伝送されたフレーム間の伝送遅延差を吸収する。
【００３１】
ここで、波長λ１〜λ４の光信号間に大きな遅延差が生じる理由を、図７を参照して説明する。図７は、図１に示した光波長分波装置５の構成の一例を示すブロック図である。図７において、光分波器５１に入力された光多重信号は、波長λ１〜λ４の光信号に多重分離され、それぞれ分散補償器５２〜５５に入力される。光伝送路３である光ファイバ内を長距離伝送した光信号は、光ファイバの分散特性によって、波形歪が生じており、その歪を逆の分散特性で補償することによって波形歪を修正し、これによって、長距離伝送が可能となる。一般に、分散補償器は、分散補償用の光ファイバで構成されている。光伝送路で生じる分散量は、光波長に依存するため、波長λ１〜λ４に対する分散補償用の光ファイバ長が異なり、これによって大きな伝送遅延が生じる。この波長λ１〜λ４の間に生じた伝送遅延差を遅延補償メモリ４４によってそれぞれ吸収する。
【００３２】
たとえば、第１〜第４のフレーム終端回路２５〜２８の各遅延補償メモリ４４では、それぞれ異なる位相で伝送フレームをメモリに書き込み、全て同一の位相で伝送フレームを読み出すことによって、読み出された各伝送フレームの位相を揃えることができる。この位相が揃えられた伝送フレームに対して、速度変換を行い、多重化するようにしているので、波長λ１〜λ４の光信号によって伝送された４つの多重分離信号を、もとのトリビュタリ信号にもどすことが可能となる。
【００３３】
なお、ここでは、分散補償用の光ファイバによって遅延差が生じる場合について説明したが、たとえば、各波長の伝送経路が異なる場合などにも、伝送遅延差が生じ、この場合にも同様にして、遅延補償メモリ４４が遅延差を吸収することによって、トリビュタリ信号を異なる複数の波長で伝送することができる。
【００３４】
上述した実施の形態１では、各伝送光波長λ１〜λ４に対する第１〜第４のフレーム終端回路２５〜２８に遅延補償メモリ４４を設け、分散補償や各伝送光信号の経路の違いなどで生じた波長λ１〜λ４間の伝送遅延差を吸収できるようにしているので、１つのトリビュタリ信号を複数の光波長信号に分けて長距離伝送することができる。
【００３５】
実施の形態２．
つぎに、この発明の実施の形態２について説明する。図８は、この発明の実施の形態２であるインバース波長多重光システムにおける光波長分波装置の構成を示すブロック図である。図８に示した光波長分波装置は、図７に示した分散補償器５２〜５５の後段に、それぞれ遅延補償用の光ファイバによって構成された遅延補償器５６〜５９を設けたものである。その他の構成は、実施の形態１と同じである。
【００３６】
この実施の形態２によれば、遅延補償メモリ４４のメモリ容量制限によって、遅延を吸収することができない大きな伝送遅延差が生じている場合であっても、遅延補償器５６〜５９が、この伝送遅延差を吸収することができるとともに、光受信装置６の回路規模を小さくすることができる。
【００３７】
実施の形態３．
つぎに、この発明の実施の形態３について説明する。図９は、この発明の実施の形態３であるインバース波長多重光伝送システムにおける第１〜第４のフレーム生成回路の構成を示すブロック図である。図９において、この第１〜第４のフレーム生成回路は、図３に示した第１〜第４のフレーム生成回路１３〜１６を構成する誤り訂正符号化回路３３の後段に、遅延補償メモリ６４を設けている。その他の構成は、実施の形態１と同じであり、同一構成部分には同一符号を付している。
【００３８】
一般に、第１〜第４のフレーム生成回路１３〜１６と第１〜第４のフレーム終端回路２５〜２８とでは、第１〜第４のフレーム終端回路２５〜２８の方が回路規模が大きい。このため、第１〜第４のフレーム終端回路２５〜２８に設けた遅延補償メモリ４４のメモリ容量を大きくすると、光受信装置６への実装が困難となる。
【００３９】
そこで、この実施の形態３では、第１〜第４のフレーム生成回路１３〜１６に、遅延補償メモリ６４を設け、予め送信側で所定の遅延を付加することによって、受信側に必要な遅延吸収量を分散することができる。この結果、一層大きな伝送遅延差を吸収することができる。
【００４０】
ここで、図１０に示したフローチャートを参照して、遅延補償メモリ６４の制御処理手順について説明する。図１０において、光受信装置６の図示しない遅延差検出部は、遅延補償メモリ４４によって伝送遅延差を吸収することが可能であるか否かを判断する（ステップＳ１０１）。遅延補償メモリ４４によって伝送遅延差を吸収することができる場合（ステップＳ１０１，ＹＥＳ）には、そのまま本処理を終了し、遅延補償メモリ４４によって伝送遅延差を吸収することができない場合（ステップＳ１０１，ＮＯ）には、光送信装置１側の遅延補償メモリ６４に対して、遅延の小さい波長に対する遅延を挿入する設定を行い（ステップＳ１０２）、本処理を終了する。
【００４１】
このように、受信側における遅延補償メモリ４４によって、遅延差が吸収しきれない場合、送信側において、遅延の小さい波長に対して遅延補償メモリ６４に遅延を付加し、各波長における受信側の遅延量がほぼ同じになるようにする。
【００４２】
図１１は、遅延補償メモリ６４の他の制御処理手順を示すフローチャートである。図１１において、光受信装置６の図示しない遅延差検出部は、受信側の伝送遅延差を検出する（ステップＳ２０１）。その後、この伝送遅延差が、遅延補償メモリ４４によって吸収することが可能であるか否かを判断する（ステップＳ２０２）。遅延補償メモリ４４によって伝送遅延差を吸収することができる場合（ステップＳ２０２，ＹＥＳ）には、そのまま本処理を終了し、遅延補償メモリ４４によって伝送遅延差を吸収することができない場合（ステップＳ２０２，ＮＯ）には、光送信装置１側の遅延補償メモリ６４に対して、遅延の小さい波長に対する遅延を挿入する設定を行い（ステップＳ２０３）、本処理を終了する。
【００４３】
図１１に示す制御処理手順では、遅延差の遅延量を検出していないため、遅延補償メモリ６４に付加される遅延量は、逐次調整となる。一方、図１２に示す制御処理手順では、遅延差の遅延量を検出しているため、遅延補償メモリ６４に対して付加される遅延量は、各波長に対して一括補正が可能である。なお、送信側に対する遅延補償量の情報の伝送は、伝送フレームのオーバヘッド情報を用いて行う。また、遅延量の測定は、オーバヘッド情報内に、遅延量測定の符号を定義しておくことによって実現できる。
【００４４】
実施の形態４．
つぎに、この発明の実施の形態４について説明する。図１２は、２つのトリビュタリ信号Ｓ１，Ｓ２を８種類の光波長信号λ１〜λ８によって伝送させる場合の波長配置を示す模式図である。図１２に示すように、各トリビュタリ信号Ｓ１，Ｓ２に対して、波長の近いグループを使用することによって、分散補償による遅延差を小さくすることができる。この結果、遅延補償メモリ４４，６４のメモリ容量を削減することができる。
【００４５】
【発明の効果】
以上説明したように、この発明によれば、送信側装置において、多重分離回路が、トリビュタリ信号を多重分離し、伝送フレーム生成回路が、前記多重分離回路によって多重分離された複数の各多重分離信号に対する複数の伝送フレームを組み立て、電気光変換回路が、前記複数の伝送フレームをそれぞれ波長の異なる光信号に変換し、この光信号が合波されて光伝送路上に出力され、受信側装置において、光電気変換回路が、光伝送路を介して入力された前記波長の異なる光信号を各波長に対応する複数の電気信号に変換し、伝送フレーム終端回路が、各光電気変換回路によって変換された各電気信号に対応する各伝送フレームの受信処理を行い、各伝送フレーム間の遅延差を補正した多重分離信号をそれぞれ出力し、多重化回路が、複数の伝送フレーム終端回路から出力された複数の多重分離信号を多重化して前記トリビュタリ信号を出力し、前記伝送フレーム生成回路は、波長間の伝送遅延差を吸収する遅延吸収メモリを備え、該遅延吸収メモリによって前記各伝送フレーム間の遅延差を予め補正し、大きな遅延差を吸収できるようにしているので、高速かつ大容量のトリビュタリ信号であっても、長距離伝送することができ、さらに長距離伝送を可能にするインバース波長多重光伝送システムを実現することができるとともに、受信側装置の回路規模を小さくすることができるという効果を奏する。
【００４６】
つぎの発明によれば、伝送フレーム終端回路が、波長間の伝送遅延差を吸収する遅延吸収メモリを有し、この遅延吸収メモリによって前記各伝送フレーム間の遅延差を補正するようにしているので、さらに長距離伝送を可能にするインバース波長多重光伝送システムを実現することができるという効果を奏する。
【００４７】
つぎの発明によれば、前記受信側装置の光波長分波装置内の光ファイバが、波長の異なる光信号間の遅延を補償するようにしているので、さらに長距離伝送を可能にするインバース波長多重光伝送システムを実現することができるとともに、受信側装置の回路規模を小さくすることができるという効果を奏する。
【００４９】
つぎの発明によれば、検出手段が、前記受信側装置における各波長間の遅延差を検出し、判断手段が、前記検出手段の検出結果をもとに前記第１の遅延吸収メモリが各波長間の遅延差を吸収できるか否かを判断し、調整制御手段が、前記判断手段が各波長間の遅延差を吸収できないと判断した場合、前記第２の遅延吸収メモリによる各波長間の遅延量を調整する制御を行うようにしているので、さらに長距離伝送を可能にするインバース波長多重光伝送システムを実現することができるとともに、受信側装置の回路規模を小さくすることができるという効果を奏する。
【００５０】
つぎの発明によれば、検出手段が、前記受信側装置における各波長間の遅延差を検出し、調整制御手段が、前記検出手段が検出した遅延差をもとに前記遅延吸収メモリによる各波長の遅延量を調整して該遅延差を補正する制御を行うようにしているので、さらに長距離伝送を可能にするインバース波長多重光伝送システムを実現することができるとともに、受信側装置の回路規模を小さくすることができるという効果を奏する。
【００５２】
つぎの発明によれば、送信側装置が、入力された複数のトリビュタリ信号の各トリビュタリ信号に対応して生成された各伝送フレーム群を、隣接波長群内の波長に割り当てて伝送し、分散補償による遅延差が小さくなるようにしているので、遅延吸収メモリのメモリ容量を削減でき、受信側の回路規模を小さくすることができるという効果を奏する。
【図面の簡単な説明】
【図１】  この発明の実施の形態１であるインバース波長多重光伝送システムの概要構成を示す図である。
【図２】  図１に示した光送信装置の構成を示すブロック図である。
【図３】  図２に示した第１〜第４のフレーム生成回路の構成を示すブロック図である。
【図４】  伝送フレームの構成を示す図である。
【図５】  図１に示した光受信装置の構成を示すブロック図である。
【図６】  図１に示した第１〜第４のフレーム終端回路の構成を示すブロック図である。
【図７】  図１に示した光波長分波装置の構成を示すブロック図である。
【図８】  この発明の実施の形態２であるインバース波長多重光伝送システムの光波長分波装置の構成を示すブロック図である。
【図９】  この発明の実施の形態３であるインバース波長多重光伝送システムの第１〜第４のフレーム生成回路の構成を示すブロック図である。
【図１０】  図９に示したインバース波長多重光伝送システムによる遅延補償制御処理手順を示すフローチャートである。
【図１１】  図９に示したインバース波長多重光伝送システムによる他の遅延補償制御処理手順を示すフローチャートである。
【図１２】  この発明の実施の形態４であるトリビュタリ信号の波長配置を示す模式図である。
【図１３】  従来の波長多重光伝送システムの概要構成を示す図である。
【符号の説明】
１  光送信装置、２  光波長合波装置、３  光伝送路、４  光ファイバ増幅中継器、５  光波長分波装置、６  光受信装置、１１，２１〜２４  光電気変換回路、１２  多重分離回路、１３〜１６  第１〜第４のフレーム生成回路、１７〜２０，３０  電気光変換回路、２５〜２８  第１〜第４のフレーム終端回路、２９  多重化回路、３１，４５  速度変換回路、３２  オーバヘッド情報生成回路、３３  誤り訂正符号化回路、４１  フレーム同期回路、４２  誤り訂正復号化回路、４３  オーバヘッド情報終端回路、４４，６４  遅延補償メモリ、５１  光分波器、５２〜５５  分散補償器、５６〜５９  遅延補償器。
【図１】
0003907939.tif 000002
【図２】
0003907939.tif 000003
【図３】
0003907939.tif 000004
【図４】
0003907939.tif 000005
【図５】
0003907939.tif 000006
【図６】
0003907939.tif 000007
【図７】
0003907939.tif 000008
【図８】
0003907939.tif 000009
【図９】
0003907939.tif 000010
【図１０】
0003907939.tif 000011
【図１１】
0003907939.tif 000012
【図１２】
0003907939.tif 000013
【図１３】
0003907939.tif 000014